【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
容量型タッチセンサと関連したデータ処理装置によって遂行される方法であって、前記センサが、マトリクス構造で行と列に配置されたトレースラインを含み、前記方法は、
前記容量型タッチセンサの前記列をインターレースパターンで走査するステップを含む第１の走査を行なうステップであって、前記インターレースパターンがフレームを含み、
前記フレームがｎ個（ｎは整数）のサブフレームを含む、ステップと、
前記第１の走査の結果として生成された情報を用いて、行から列へのキャパシタンスの変化を受けた前記センサの領域を識別するステップと、
前記キャパシタンスの前記変化を受けた前記センサの前記領域の前記検出を用いて、第２の後続の走査の的を絞るべき列のサブセットの選択を通知するステップと、
前記第２の後続の走査のために選択された前記列のサブセットを走査するステップと
を含み、前記第１の走査が第１の測定値に関連づけられ、前記第２の走査が第２の測定値に関連づけられ、
前記列のサブセットを走査する前記ステップが、
前記第２の走査に関するターゲット信号のレベルおよび雑音レベルを求めるステップと、
ターゲット信号対雑音比を求めるステップと、
前記第２の測定値と前記第１の測定値の平均である関数を利用することによって、前記ターゲット信号対雑音比を得るための積分期間を求めるステップと
を含み、前記積分期間は列が走査される時間を定めることを特徴とする方法。
【請求項２】
請求項１に記載の方法であって、前記第１の走査は、
前記第１の走査に関する信号レベルおよび雑音レベルを求めること、ならびに
前記第１の走査に関して求められた前記信号レベルおよび前記雑音レベルに基づいてターゲット信号対雑音比を求めること
を含むことを特徴とする方法。
【請求項３】
請求項２に記載の方法であって、
前記第１の走査および前記第２の走査に関する信号を受信するステップと、
前記第１の走査および前記第２の走査に関して受信した前記信号の平均をとることにより、前記第１の走査または前記第２の走査に関連した前記信号対雑音比より大きい信号対雑音比を有する信号を求めるステップと
をさらに含むことを特徴とする方法。
【請求項４】
請求項１に記載の方法であって、ｎは４であり、前記フレームは３０Ｈｚに構成され、前記サブフレームは１２０Ｈｚに構成され、前記インターレースパターンは、１フレーム当たり１６列を含み、１サブフレーム当たり４列を含み、前記センサのレイテンシは１２０Ｈｚであり、前記行から前記列へのキャパシタンスは、フリンジキャパシタンスを含むことを特徴とする方法。
【請求項５】
容量型タッチセンサと関連したデータ処理装置によって実行される方法であって、前記センサが、マトリクス構造で行と列に配置されたトレースラインを含み、前記列が、ｎ組の列として配置され、ｎは整数であり、前記方法は、
前記容量型タッチセンサの前記ｎ組の列のそれぞれの第１の走査を、インターレースパターンで順次に行なうステップと、
前記第１の走査の結果として生成された情報を用い、フリンジキャパシタンスの変化を受けた前記センサの領域を識別するステップであって、前記フリンジキャパシタンスが行から列へのキャパシタンスを含む、ステップと、
前記キャパシタンスの変化を受けた前記センサの前記領域の前記検出を用いて、第２の後続の走査の的を絞るべき前記ｎ組の列のそれぞれのサブセットの選択を通知するステップと、
前記第２の後続の走査のために選択された前記ｎ組の列のそれぞれの前記サブセットを走査するステップであって、前記第１の走査が第１の測定値に関連づけられ、前記第２の走査が第２の測定値に関連づけられるステップと
を含み、
前記ｎ組の列の各サブセットを走査する前記ステップが、
前記第２の走査に関する信号レベルおよび雑音レベルを求めるステップと、
ターゲット信号対雑音比を求めるステップと、
前記第２の測定値と前記第１の測定値の平均である関数を利用することによって、前記ターゲット信号対雑音比を得るための積分期間を求めるステップと
を含み、前記積分期間は列が走査される時間を定め、
前記ｎ組の列における列のそれぞれの組および対応する列のサブセットに対して、前記第１の走査および前記第２の走査が、後続の列の組および対応する列のサブセットに対する走査を始める前に行なわれることを特徴とする方法。
【請求項６】
請求項５に記載の方法であって、
前記方法は、前記ｎ組の列の各サブセットに対して、
前記積分期間において前記列のサブセットを走査するステップと、
前記列のサブセットの前記走査の受信信号と関係する前記第２の測定値を得るステップであって、前記第２の測定値は、第２の測定値で導出された信号対雑音比に関連づけられる、ステップと、
前記列のサブセットは、少なくとも１つの最小の信号対雑音比を有するように構成されているかどうか判定するステップと、
前記第２の測定値で導出された信号対雑音比に基づいて、前記第２の測定値で導出された信号対雑音比は、前記列のサブセットに関する前記最小の信号対雑音比より小さいかどうか判定するステップと、
前記第２の測定値で導出された信号対雑音比が前記列のサブセットに関する前記最小の信号対雑音比より小さいと判定したとき、
前記列のサブセットの他の走査を実行し、
前記列のサブセットの前記他の走査の受信信号と関係する他の測定値を得て、
前記列のサブセットの前記測定値と前記他の測定値を平均して、ある特性を有する組み合わせた測定値を生成する
ステップと
をさらに含み、前記ある特性において、前記組み合わせた測定値に関連した信号対雑音比は前記列のサブセットの前記測定値のどちらかと関係する前記信号対雑音比より大きいことを特徴とする方法。
【請求項７】
データ処理装置と、
前記データ処理装置と相互作用するように構成された容量型タッチセンサであって、マトリクス構造で行と列に配置されたトレースラインを備えるセンサと
を備えるシステムであって、
前記システムが、
前記容量型タッチセンサの前記列をインターレースパターンで走査することを含む、前記センサを用いた第１の走査を行ない、前記インターレースパターンがフレームを含み、前記フレームがｎ個のサブフレームを備え、ｎは整数であり、
前記第１の走査の結果として生成された情報を利用して、行から列へのキャパシタンスの変化を受けた前記センサの領域を識別し、
前記キャパシタンスの前記変化を受けた前記センサの前記領域の前記検出を利用して、第２の後続の走査の的を絞るべき列のサブセットの選択を通知し、
前記第２の後続の走査のために選択された前記列のサブセットを走査する
ように構成され、
前記システムが、前記列のサブセットを走査するとき、
前記第２の走査に関する信号レベルおよび雑音レベルを求め、
前記第２の走査に関して求められ、前記キャパシタンスの変化があった前記センサの領域に関連する前記信号レベルおよび前記雑音レベルに基づき、信号対雑音比を求め、
前記信号対雑音比を得るための積分期間を求め、該積分期間は列が走査される時間を定める
ように構成されることを特徴とするシステム。
【請求項８】
請求項７に記載のシステムであって、
前記システムは、
前記第１の走査に関する信号レベルおよび雑音レベルを求め、
前記第１の走査に関して求められた前記信号レベルおよび前記雑音レベルに基づいて信号対雑音比を求める
ことにより、前記第１の走査を行なうように構成されることを特徴とするシステム。
【請求項９】
請求項８に記載のシステムであって、前記システムは、
前記第１の走査および前記第２の走査に関する信号を受信し、
前記第１の走査および前記第２の走査に関して受信した前記信号の平均をとることにより、前記第１の走査または前記第２の走査に関連した信号対雑音比より大きい、組み合わせた信号対雑音比を求める
ようにさらに構成されていることを特徴とするシステム。
【請求項１０】
請求項７に記載のシステムであって、ｎは４であり、前記フレームは３０Ｈｚに構成され、前記サブフレームは１２０Ｈｚに構成され、前記インターレースパターンは、１フレーム当たり１６列を含み、１サブフレーム当たり４列を含み、前記センサのレイテンシは１２０Ｈｚであり、前記行から前記列へのキャパシタンスは、フリンジキャパシタンスを含むことを特徴とする方法。
【請求項１１】
データ処理装置と、
前記データ処理装置と相互作用するように構成された容量型タッチセンサであって、前記センサが、マトリクス構造で行と列に配置されたトレースラインを含み、前記列が、ｎ組の列として配置され、ｎは整数である、センサと
を備えるシステムであって、前記システムが、
前記容量型タッチセンサの前記ｎ組の列のそれぞれの第１の走査を、インターレースパターンで順次に行ない、
前記第１の走査の結果として生成された情報を利用して、フリンジキャパシタンスの変化を受けた前記センサの領域を識別し、前記フリンジキャパシタンスが行から列へのキャパシタンスを含み、
前記キャパシタンスの前記変化を受けた前記センサの前記領域の前記検出を利用して、第２の後続の走査の的を絞るべき前記ｎ組の列のそれぞれのサブセットの選択を通知し、
前記第２の後続の走査のために選択された前記ｎ組の列のそれぞれの前記サブセットを走査し、前記第１の走査を第１の測定値に関連づけ、前記第２の走査を第２の測定値に関連づける
ように構成され、
前記システムが、
前記第２の走査に関するターゲット信号のレベルおよび雑音レベルを求め、
ターゲット信号対雑音比を求め、
前記第２の測定値と前記第１の測定値の平均である関数を利用することによって、前記ターゲット信号対雑音比を得るための積分期間を求める
ことにより、前記ｎ組の列の各サブセットを走査する
ように構成され、前記積分期間は列が走査される時間を定め、
前記システムが、前記ｎ組の列における列のそれぞれの組および対応する列のサブセットに対して、前記第１の走査および前記第２の走査を、後続の列の組および対応する列のサブセットに対する走査を始める前に行なうように構成されることを特徴とするシステム。
【請求項１２】
請求項１１に記載のシステムであって、前記システムは、前記ｎ組の列の各サブセットに対して、
前記積分期間において前記列のサブセットを走査し、
前記列のサブセットの前記走査の受信信号と関係する前記第２の測定値を取得し、前記第２の測定値は、第２の測定値で導出された信号対雑音比と関連づけられ、
前記列のサブセットは、少なくとも１つの最小の信号対雑音比を有するように構成されているかどうか判定し、
前記第２の測定値で導出された信号対雑音比に基づき、前記第２の測定値で導出された信号対雑音比は、前記列のサブセットに関する前記最小の信号対雑音比より小さいかどうか判定し、
前記第２の測定値で導出された信号対雑音比は前記列のサブセットに関する前記最小の信号対雑音比より小さいと判定したとき、
前記列のサブセットの他の走査を実行し、
前記列のサブセットの前記他の走査の受信信号と関係する他の測定値を得て、
前記列のサブセットの前記測定値と前記他の測定値の平均をとり、ある特性を有する組み合わせた測定値を生成し、前記ある特性において、前記組み合わせた測定値に関連した信号対雑音比は前記列のサブセットの前記測定値のどちらかと関係する前記信号対雑音比より大きい
ように構成されることを特徴とするシステム。
【請求項１３】
データ処理装置と、
前記データ処理装置と相互作用するように構成された容量型タッチセンサであって、マトリクス構造で行と列に配置されたトレースラインを含むセンサと、
前記容量型タッチセンサの前記列をインターレースパターンで走査することを含む、前記センサを用いた第１の走査を行なうための手段であって、前記インターレースパターンがフレームを含み、前記フレームがｎ個のサブフレームを備え、ｎが整数である、手段と、
前記第１の走査の結果として生成された情報を利用して、行から列へのキャパシタンスの変化を受けた前記センサの領域を識別するための手段と、
前記キャパシタンスの前記変化を受けた前記センサの前記領域の前記検出を利用して、第２の後続の走査の的を絞るべき列のサブセットの選択を通知するための手段と、
前記第２の後続の走査のために選択された前記列のサブセットを走査するための手段と
を備えるシステムであって、
前記システムが、前記列のサブセットを走査するために、
前記第２の走査に関する信号レベルおよび雑音レベルを求めるための手段と、
前記第２の走査に関して求められ、前記キャパシタンスの変化があった前記センサの領域に関連する前記信号レベルおよび前記雑音レベルに基づいて信号対雑音比を求めるための手段と、
前記信号対雑音比を得るための積分期間を求めるための手段であって、該積分期間は列が走査される時間を定める、手段と
を含むことを特徴とするシステム。
【請求項１４】
データ処理装置と、
前記データ処理装置と相互作用するように構成された容量型タッチセンサであって、前記センサが、マトリクス構造で行と列に配置されたトレースラインを含み、前記列が、ｎ組の列として配置され、ｎは整数であるセンサと、
前記容量型タッチセンサの前記ｎ組の列のそれぞれの第１の走査を、インターレースパターンで順次に行なうための手段と、
前記第１の走査の結果として生成された情報を利用して、フリンジキャパシタンスの変化を受けた前記センサの領域を識別するための手段であって、前記フリンジキャパシタンスが行から列へのキャパシタンスを含む、手段と、
前記キャパシタンスの前記変化を受けた前記センサの前記領域の前記検出を利用して、第２の後続の走査の的を絞るべき前記ｎ組の列のそれぞれのサブセットの選択を通知するための手段と、
前記第２の後続の走査のために選択された前記ｎ組の列のそれぞれの前記サブセットを走査するための手段と
を備えるシステムであって、
前記システムが、
前記第２の走査に関する信号レベルおよび雑音レベルを求め、
前記第２の測定値と前記第１の測定値の平均がとられたとき、ターゲット信号対雑音比を得るための積分期間を求める
ための手段により、前記ｎ組の列の前記各サブセットを走査するように構成され、前記積分期間は列が走査される時間を定め、
前記システムが、前記ｎ組の列における列のそれぞれの組および対応する列のサブセットに対して、前記第１の走査および前記第２の走査を、後続の列の組および対応する列のサブセットに対する走査を始める前に行なうように構成されることを特徴とするシステム。